(57)【要約】      （修正有）【課題】顔や身体などにスキンケア、美白用などの水素分子を豊富に含む液体を霧状に塗布できるスプレー一体型水素生成器を提供する。【解決手段】内部に液体の入った容器本体４と、シリンダー１６を有する蓋体８と、ばね２０により復帰方向に弾発されたピストンロッド１２と、ピストンロッド１２の流路１２ａに連通するスプレーノズル２８と、ピストン操作体１０とを備えたスプレー容器において、シリンダー１６の下端部に吸い上げ管６を連結し、該吸い上げ管６に、容器本体４内の美容水などの液体の水と反応して水素ガスを発生する金属マグネシウムの粒３６を収納する。ピストン操作体１０を操作することで、吸い上げ管６内の液体をスプレーノズル２８から噴射することができる。【選択図】図１
0003196911.tif 000002
【実用新案登録請求の範囲】
【請求項１】
内部に液体の入った容器本体（４）と、該容器本体（４）内に突出するシリンダー（１６）を有し、前記容器本体（４）の開口管部（８ａ）に連結する蓋体（８）と、前記シリンダー（１６）にピストンリング（２４）を介してスライド自在に嵌合し、中心部に流路（１２ａ）を有し、ばね（２０）により復帰方向に弾発されたピストンロッド（１２）と、前記ピストンロッド（１２）の流路（１２ａ）に連通するスプレーノズル（２８）と、前記ピストンロッド（１２）に連結する、前記ピストンロッド（１２）を操作するためのピストン操作体（１０）とを備えたスプレー容器において、前記シリンダー（１６）に前記容器本体（４）の底部に延びる吸い上げ管（６）を連結し、該吸い上げ管（６）に、前記容器本体（４）内の液体と反応して水素ガスを発生する金属マグネシウムの粒（３４）を収納し、前記吸い上げ管（６）内の液体を前記ピストン操作体（１０）の操作によって前記シリンダー（１６）内に吸い上げスプレーノズル（２８）から噴射できるようにしたことを特徴とするスプレー一体型水素生成器。
【請求項２】
前記容器本体（４）内の液体が水道水、軟水ミネラルウォーター、化粧水、美容水、シャンプー水、石けん水、ボディーシャンプー水溶液の中の少なくとも１つであることを特徴とする請求項１に記載のスプレー一体型水素生成器。
【考案の詳細な説明】
【技術分野】
【０００１】
本考案は、容器内に入れた液体を水素分子を豊富に含む液体に変化させ、この液体を皮膚に吹き付けることができ、皮膚の老化によるシミやシワの改善、あるいは皮膚のケアや美白に有効なスプレー一体型水素生成器に関する。
【背景技術】
【０００２】
水素分子を豊富に含む液体を顔や皮膚に塗布することにより老化によるシミやシワを改善することができることが実験的に確認されている。また、水素を含む液体は、皮膚に塗布すると、皮膚に深く浸透し、細胞の生存率を高め細胞を活性化させることが実験的に確認されている。
このように、水素分子を豊富に含む水素豊富水が、肌や皮膚のケアに有効なことから、通常の飲料水を水素豊富水に簡単に変えることができるとともに、この水素豊富水を霧状にして顔や手などの皮膚に噴霧できるスプレー型の水素生成器が従来知られている（例えば特許文献１参照）。
【先行技術文献】
【特許文献】
【０００３】
【特許文献１】実用新案登録第３１００７６３号公報
【考案の概要】
【考案が解決しようとする課題】
【０００４】
従来のスプレー型水素生成器は、容器内にスティックと呼ばれる金属マグネシウムの粒が密集して収納された通水構造の筒体を入れ、容器内の飲料水と、筒体内の金属マグネシウムの粒とを反応させて水素ガスを発生させている。この水素生成器では、筒体内で生成された水素分子は、容器内の飲料水に拡散される。
従って、水素生成源であるマグネシウム粒の入った筒体内の水に含まれる水素分子の量に比し、筒体の外の容器内の水の水素分子の量は減少してしまい、この筒体すなわちスティック内の水素分子の濃度に比し、筒体の外の水素分子の濃度の低い水がスプレーにより噴霧される。
本考案は、上記問題点を解決することを目的とするものである。
【課題を解決するための手段】
【０００５】
上記目的を達成するため、本考案は、内部に液体の入った容器本体（４）と、該容器本体（４）内に突出するシリンダー（１６）を有し、前記容器本体（４）の開口管部（８ａ）に連結する蓋体（８）と、前記シリンダー（１６）にピストンリング（２４）を介してスライド自在に嵌合し、中心部に流路（１２ａ）を有し、ばね（２０）により復帰方向に弾発されたピストンロッド（１２）と、前記ピストンロッド（１２）の流路（１２ａ）に連通するスプレーノズル（２８）と、前記ピストンロッド（１２）に連結する、前記ピストンロッド（１２）を操作するためのピストン操作体（１０）とを備えたスプレー容器において、前記シリンダー（１６）に前記容器本体（４）の底部に延びる吸い上げ管（６）を連結し、該吸い上げ管（６）に、前記容器本体（４）内の液体と反応して水素ガスを発生する金属マグネシウムの粒（３４）を収納し、前記吸い上げ管（６）内の液体を前記ピストン操作体（１０）の操作によって前記シリンダー（１６）内に吸い上げスプレーノズル（２８）から噴射できるようにしたことを特徴とする。
また本考案は、前記容器本体（４）内の液体が水道水、軟水ミネラルウォーター、化粧水、美容水、シャンプー水、石けん水、ボディーシャンプー水溶液の中の少なくとも１つであることを特徴とするものである。
【考案の効果】
【０００６】
本考案は、スプレーノズルに金属マグネシウムの粒の詰まった吸い上げ管内を通って容器内の液体が供給されるので、水素分子の濃度の高い液体を効率的に噴霧することができる。
【図面の簡単な説明】
【０００７】
【図１】本考案に係る水素生成器の断面図である。
【考案を実施するための形態】
【０００８】
以下に本考案の実施の形態を添付した図面を参照して詳細に説明する。
図は、本考案であるスプレー一体型水素生成器の全体断面図を示している。水素生成器２は、容器本体４と、吸い上げ管６と、蓋体８と、ピストン操作体（ノズルヘッド）１０と、ピストンロッド１２とを主たる構成としている。容器本体４の頂部に形成された開口管部４ａの外周部には、ねじが形成され、該ねじに蓋体８の下位管部８ａの内周部に形成されたねじが螺合し、該ねじを介して、容器本体４の頂部に蓋体８が、ブッシュ１４を介して脱着可能に結合している。
【０００９】
蓋体８の内径部には、シリンダー１６が一体的に形成され、該シリンダー１６の下部１６ａには、段差１８が形成されている。コイル状の圧縮スプリング２０がシリンダー１６内に配置され、該コイル状の圧縮スプリング２０の下端が、前記段差１８に係止されている。蓋体８の内径部には、ピストンロッド１２が配置されている。
【００１０】
蓋体８の中間部に形成された仕切壁８ｂには、前記シリンダー１６と連通する穴が形成され、該穴にブッシュ２２が嵌合配置され、該ブッシュ２２に前記ピストンロッド１２の外周面がスライド自在に密封状態で嵌合している。前記ピストンロッド１２の中心には、長手方向に液体を案内する流路１２ａが形成されている。ピストンロッド１２の下部外周面には、ピストンリング２４が嵌合し、該ピストンロッド１２の下端は、スプリング２０の上端に載置されている。
【００１１】
ピストン操作体１０は、蓋体８の上位管部８ｃの上端に配置され、該管部８ｃに対して出入り自在な形状の管部を備えている。ピストン操作体１０の管部の内部には案内管２６が一体的に形成され、該案内管２６の一方の開口部が前記ピストンロッド１２の上部に脱着可能に連結し、他方の開口部が、前記ピストン操作体１０の筒部の周壁に形成された複数の小孔から成るスプレーノズル２８に連結している。
【００１２】
前記ピストンロッド１２、ピストンリング２４、スプリング２０及びシリンダー１６は、蓋体８の内径部側に、ピストン操作体１０により操作駆動されるポンプ機構を構成している。前記シリンダー１６の外周部には、吸い上げ管６の一方の開口部が脱着可能に密嵌している。吸い上げ管６の他方の開口部は、容器本体４の底部の近傍に延びている。
【００１３】
吸い上げ管６の内径部には、通水性のスポンジ状部材等からなる止め材３０，３２が充填配置され、該止め材３０，３２間の収納空間部には、金属マグネシウムの粒３４と亜硫酸カルシウムの粒３６が密集状態で多数収納されている。
容器本体４の内部には、水道水や、軟水ミネラルウォーターや、精製水や、各種化粧水や、各種美容液や、石けん水や、シャンプー水や、ボディーシャンプー溶液などの皮膚や肌のケア、美白、保湿等に用いられる液体３４が入っている。
【００１４】
図中、３６は、キャップであり、スプレーの不使用時には蓋体８の上位管部８ｃに脱着自在に嵌合されるものである。容器本体４内の水又は溶液の中の水は、吸い上げ管６内の金属マグネシウムの粒３４と反応し、次の化学式によって水素ガスを発生する。
【００１５】
［化１］
Ｍｇ＋２Ｈ2Ｏ→Ｍｇ（ＯＨ）2＋２Ｈ→Ｍｇ（ＯＨ）2＋Ｈ2
上記した構成において、本器を使用するときは、キャップ３６を取り外し、数回ピストン操作体１０を手で押し下げポンプを駆動する。ピストン操作体１０が押し下げられると、ピストンロッド１２がスプリング２０の弾力に抗して下降し、該下降状態からピストン操作体１０への押し下げ力を解除すると、ピストンロッド１２はスプリング２０の弾発力で急上昇する。
【００１６】
これによりシリンダー１６内の圧力チャンバー１６ｂ内の圧力が急減し、容器本体４内の液体は、吸い上げ管６を通じてシリンダー１６の内部に吸い上げられ、シリンダー１６内の水位が上昇する。次に、ピストン操作体１０を押し下げると、圧力チャンバー１６ｂ内の液体の圧力が増大し、圧力チャンバー１６ｂ内の液体は、ピストンロッド１２の流路１２ａを上昇するとともに、吸い上げ管６内の一部の液体は、圧力チャンバー１６ｂの圧力により、下向きに流れる。
【００１７】
スプレーの始めに、数回、ピストン操作体１０の押し下げ復帰上昇動作を行うと、吸い上げ管６内を液体３４が上下方向に流れ、この液体３４の上下の流れにより吸い上げ管６内の金属マグネシウムの粒３４と亜硫酸カルシウムの粒３６が吸い上げ管６内の液体３４により撹拌され、金属マグネシウムと水との反応による吸い上げ管６内の水素ガスの発生が促進される。
【００１８】
充分に、水素ガスを含む液体３４が案内管２６に吸い上げられたところで、ピストン操作体１０を押し下げると、吸い上げ管６内の水素分子を豊富に含んだ液体３４は、圧力チャンバー１６ｂ内の増大によるポンプ作用によりピストンロッド１２と案内管２６の流路を経て、スプレーノズル２８に導かれ、ここから霧状に噴射される。  
尚、本実施形態では、ピストン操作体１０として、押し下げ式のピストン操作体を使用しているが、ピストン操作体１０の構成は、押し下げ式に特に限定されるものではなく、市販のスプレーに使用されている他の構造のものを使用しても良い。
【符号の説明】
【００１９】
２      水素生成器
４      容器本体
４ａ    開口管部
６      吸い上げ管
８      蓋体
８ａ    下位管部
８ｂ    仕切壁
８ｃ    上位管部
１０    ピストン操作体
１２    ピストンロッド
１２ａ  流路
１４    ブッシュ
１６    シリンダー
１６ａ  結合部
１６ｂ  圧力チャンバー
１８    段差
２０    スプリング
２２    ブッシュ
２４    ピストンリング
２６    案内管
２８    スプレーノズル
３０    止め材
３２    止め材
３４    液体
３６    キャップ
【図１】
0003196911.tif 000003